(57)【要約】【課題】  使用者の便宜を向上するとともにより合理的に構成されたカレンダー装置を提供すること。【解決手段】  複数の日付表示部２１が設けられた表示手段２０と、音声を録音及び再生する録音再生手段３０とを備え、日付に対応させて音声を録音及び再生するカレンダー装置において、複数の日付表示部の近傍にそれぞれ設けられた複数の日付指定ボタン４０と、音声の録音及び再生にかかわる動作を指定する複数の動作指定ボタン５０とを備え、動作指定ボタンを押すことにより動作を指定するとともに、日付指定ボタンを押すことにより動作を日付に対応させるようにした。【選択図】図１
2009059248.tif 000002
【特許請求の範囲】
【請求項１】
複数の日付表示部が設けられた表示手段と、音声を録音及び再生する録音再生手段とを備え、日付に対応させて前記音声を録音及び再生するカレンダー装置において、
前記複数の日付表示部の近傍にそれぞれ設けられた複数の日付指定ボタンと、
前記音声の録音及び再生にかかわる動作を指定する複数の動作指定ボタンとを備え、
前記動作指定ボタンを押すことにより前記動作を指定するとともに、前記日付指定ボタンを押すことにより前記動作を日付に対応させるようにしたことを特徴とするカレンダー装置。
【請求項２】
当該装置を制御するメインＣＰＵと、サブＣＰＵを内蔵した複数のＬＣＤモジュールとを備え、
前記表示手段は、前記複数のＬＣＤモジュールからなり、
前記複数のＬＣＤモジュールは、それぞれ所定数の前記日付表示部が設けられるとともに、設けられた前記日付表示部に対応する前記日付指定ボタンを前記サブＣＰＵに接続してなり、
更に、前記複数のＬＣＤモジュールのうち前記日付表示部が最も少ないものは、前記サブＣＰＵに前記複数の動作指定ボタンを接続してなることを特徴とする請求項１記載のカレンダー装置。
【発明の詳細な説明】
【技術分野】
【０００１】
本発明は、日付に対応させて音声を録音及び再生するカレンダー装置に関する。
【背景技術】
【０００２】
一般に、カレンダー装置としては、特許文献１乃至４に開示されているように、パソコンや携帯電話、電子手帳といったものの液晶ディスプレイに月毎のレイアウトを表示し、各日付に対応してデータを入出力するものが知られている。また、特許文献５には、日付に対応させて音声を録音及び再生する構成も開示されている。但し、これらのカレンダー装置は、タッチパネルやコントローラにて画面上のアイコンを操作するものであるため、使用手順や操作の理解が難しく、不慣れな者には敬遠される傾向にある。
【０００３】
また、日付に対応させて音声を録音及び再生するカレンダー装置としては、許文献６に開示されているように、各日付に対してそれぞれボタンを設けてなるものも知られている。この種のカレンダー装置であれば、前述したようにアイコン式のものと比較すると、扱い易いと考えられる。
【特許文献１】特開２０００−３５７０３７号公報
【特許文献２】特開２０００−３５７０３８号公報
【特許文献３】特開２０００−３５８２８３号公報
【特許文献４】特開２００４−２３４３８３号公報
【特許文献５】特開平１１−２３２２２８号公報
【特許文献６】特開平６−３３６０９４号公報
【発明の開示】
【発明が解決しようとする課題】
【０００４】
さて近年、このようなカレンダー装置は、ますます多機能化される傾向にあり、前述した特許文献６のように、各日付に対してそれぞれボタンを設けてなるものについても、その操作性を考慮しつつ更なる工夫が必要であると考えられる。例えば、特許文献６のカレンダー装置は、各日付に対してそれぞれ録音ボタンと再生ボタンが設けられている。このように、音声の録音及び再生にかかわる動作の指定について、各日付毎に所要のボタンを設ける場合は、装置の多機能化に応じて多くのボタンを増設することになり、操作性が低下するとともに、製造コストも嵩むことになる。
【０００５】
本発明は、かかる事情に鑑みてなされたものであり、その目的は、使用者の便宜を向上するとともにより合理的に構成されたカレンダー装置を提供することである。
【課題を解決するための手段】
【０００６】
本願第１請求項に記載した発明は、複数の日付表示部が設けられた表示手段と、音声を録音及び再生する録音再生手段とを備え、日付に対応させて前記音声を録音及び再生するカレンダー装置において、前記複数の日付表示部の近傍にそれぞれ設けられた複数の日付指定ボタンと、前記音声の録音及び再生にかかわる動作を指定する複数の動作指定ボタンとを備え、前記動作指定ボタンを押すことにより前記動作を指定するとともに、前記日付指定ボタンを押すことにより前記動作を日付に対応させるようにした構成のカレンダー装置である。
【０００７】
本願第２請求項に記載した発明は、請求項１において、当該装置を制御するメインＣＰＵと、サブＣＰＵを内蔵した複数のＬＣＤモジュールとを備え、前記表示手段は、前記複数のＬＣＤモジュールからなり、前記複数のＬＣＤモジュールは、それぞれ所定数の前記日付表示部が設けられるとともに、設けられた前記日付表示部に対応する前記日付指定ボタンを前記サブＣＰＵに接続してなり、更に、前記複数のＬＣＤモジュールのうち前記日付表示部が最も少ないものは、前記サブＣＰＵに前記複数の動作指定ボタンを接続してなる構成のカレンダー装置である。
【発明の効果】
【０００８】
本発明によれば、使用者の便宜を向上するとともにより合理的に構成されたカレンダー装置を得ることができる。
【発明を実施するための最良の形態】
【０００９】
以下に、本発明の実施例を図面に基づいて説明する。図１及び図２に示す本例のカレンダー装置１は、ノート型の筐体１０の内部に所定の部品を組み込んでなる電子装置であり、複数の日付表示部２１が設けられた表示手段２０と、音声を録音及び再生する録音再生手段３０とを備え、日付に対応させて音声を録音及び再生する構成となっている。複数の日付表示部２１の近傍には、複数の日付指定ボタン４０がそれぞれ設けられている。表示手段２０は、筐体１０の正面に設けられている。また、筐体１０の正面横脇には、音声の録音及び再生にかかわる動作を指定する複数の動作指定ボタン５０が列設されている。
【００１０】
表示手段２０は、７つの日付表示部２１を横方向に並べた列を上下方向に５列並べるとともに、２つの日付表示部２１を横方向に設けた列を１列設けたものとなっている。また、その上部には日付以外の情報、すなわち年月及び時分を表示する時刻情報表示部２２が設けられており、その下部には録音時間等を表示するカウンター表示部２３が設けられている。日付指定ボタン４０は、各日付表示部２１の下部にそれぞれ設けられている。
【００１１】
録音再生手段３０は、マイク３１及びスピーカ３２を設けたＩＣレコーダであり、マイク３１から入力した音声を電子信号に変換してこれをフラッシュメモリにデータとして記憶し、記憶したデータをスピーカから再生するものである。
【００１２】
また、このカレンダー装置１は、当該装置を制御するメインＣＰＵ１００と、サブＣＰＵ２１０を内蔵した複数のＬＣＤモジュール２００と、標準時刻電波を受信してその計時時刻を修正する電波時計回路３００とを備えている。表示手段２０の表示は、電波時計回路３００の計時時刻に基づいて設定される。表示手段２０は、複数のＬＣＤモジュール２００からなり、複数のＬＣＤモジュール２００は、それぞれ所定数の日付表示部が設けられるとともに、設けられた日付表示部に対応する日付指定ボタン４０をサブＣＰＵ２１０に接続してなるものである。時刻情報表示部２２及びカウンター表示部２３は、それらの位置に応じて適宜位置のＬＣＤモジュール２００に設けられている。
【００１３】
更に、複数のＬＣＤモジュールのうち日付表示部が最も少ないものは、サブＣＰＵ２１０に複数の動作指定ボタン５０を接続してなるものとなっている。具体的には、７つの日付表示部２１を設けた４つのＬＣＤモジュール２００と、２つの日付表示部２１を設けた１つのＬＣＤモジュール２００があり、複数の動作指定ボタン５０は、後者のＬＣＤモジュール２００のサブＣＰＵ２１０に接続されている。このような構成によると、メインＣＰＵ１００と他の素子との接続構成を簡素化するとともに、サブＣＰＵ２１０の負担を分散することができる。
【００１４】
本例の場合、カレンダー装置１は、動作指定ボタン５０を押すことにより、音声の録音及び再生にかかわる動作を指定するとともに、日付指定ボタンを押すことにより、動作指定ボタン５０に指定された動作を日付に対応させる構成となっている。
【００１５】
例えば、録音を行う場合は、所定の動作指定ボタン５０（図１中、録音と表記されているボタン）を押した後に、複数の日付指定ボタン４０のなかから目的の日付に対応するものを押す。すると、録音が開始され、そこから一定の時間（例えば３０秒間）マイクから入力した音声が録音される。カウンター表示部２３には、録音中における残りの録音時間が表示される。こうして、目的の日付に対応させて録音がなされる。このように音声を録音した後は、動作指定ボタン５０を押さずにその日付に対応する日付指定ボタン４０を押すと、スピーカ３２から録音された音声が再生される。
【００１６】
また、録音を消去する場合は、複数の日付指定ボタン４０のなかから目的の日付に対応するものを押した後に、所定の動作指定ボタン５０（図１中、消去と表記されているボタン）を押す。すると、その日付に対応する録音が消去される。
【００１７】
また、録音・再生の機能としては、ある日付に対応してなされた録音を他の日付にコピーすることができるように設定してもよい。また、前述した録音とは別途に、他の録音を伝言として録音及び再生させることができるように設定してもよい。図３乃至図１２には、制御の一例として、一連のフローチャートを示しておく。勿論、カレンダー装置１の制御は、これに限定されるものではない。
【００１８】
本例のカレンダー装置１によれば、複数の日付指定ボタン４０及び複数の動作指定ボタン５０を押すパターンにより、少ないボタン数にてより多くの機能を設定することができる。仮に、機能の設定に応じて各日付毎に所要のボタンを増設すると、操作性の低下や製造コストの上昇といった不都合が生じるが、本例の構成によれば、そのような不都合が回避される。
【００１９】
以上説明したように、本例のカレンダー装置は、使用者の便宜を向上するとともにより合理的に構成されたものである。多機能化にも適している。とりわけ、タッチパネルやコントローラにて画面上のアイコンを操作するものと比較すると、使用手順や操作の理解が容易であり、不慣れな者にとっても、非常に使い勝手がよいものである。尚、本例における各部の構成は、特許請求の範囲に記載した技術的範囲において適宜に設計変更が可能であり、図例説明したものに限定されないことは勿論である。
【産業上の利用可能性】
【００２０】
本発明は、音声を録音及び再生する機能を備えたカレンダー装置として好適に利用することが可能である。
【図面の簡単な説明】
【００２１】
【図１】本発明の実施例に係り、カレンダー装置を示す正面図である。
【図２】本発明の実施例に係り、カレンダー装置を示すブロック図である。
【図３】本発明の実施例に係り、カレンダー装置の制御を示すフローチャートである。
【図４】本発明の実施例に係り、カレンダー装置の制御を示すフローチャートである。
【図５】本発明の実施例に係り、カレンダー装置の制御を示すフローチャートである。
【図６】本発明の実施例に係り、カレンダー装置の制御を示すフローチャートである。
【図７】本発明の実施例に係り、カレンダー装置の制御を示すフローチャートである。
【図８】本発明の実施例に係り、カレンダー装置の制御を示すフローチャートである。
【図９】本発明の実施例に係り、カレンダー装置の制御を示すフローチャートである。
【図１０】本発明の実施例に係り、カレンダー装置の制御を示すフローチャートである。
【図１１】本発明の実施例に係り、カレンダー装置の制御を示すフローチャートである。
【図１２】本発明の実施例に係り、カレンダー装置の制御を示すフローチャートである。
【符号の説明】
【００２２】
１    カレンダー装置
１０    筐体
２０    表示手段
２１    日付表示部
２２    時刻情報表示部
２３    カウンター表示部
３０    録音再生手段
３１    マイク
３２    スピーカ
４０    日付指定ボタン
５０    動作指定ボタン
１００    メインＣＰＵ
２００    ＬＣＤモジュール
２１０    サブＣＰＵ
３００    電波時計回路
【図１】
2009059248.tif 000003
【図２】
2009059248.tif 000004
【図３】
2009059248.tif 000005
【図４】
2009059248.tif 000006
【図５】
2009059248.tif 000007
【図６】
2009059248.tif 000008
【図７】
2009059248.tif 000009
【図８】
2009059248.tif 000010
【図９】
2009059248.tif 000011
【図１０】
2009059248.tif 000012
【図１１】
2009059248.tif 000013
【図１２】
2009059248.tif 000014